(57)【要約】【課題】偏重心光ディスクの回転に伴うドライブシャーシの振動を防止して記録又は再生性能を高めることができる光ディスク記録又は再生装置を提供する。【解決手段】光ピックアップとターンテーブルを搭載したドライブシャーシ２をその後部両側端の嵌合部２ａ，２ａでメインシャーシ１に上下揺動可能に嵌合枢着した光ディスク記録又は再生装置において、双方の嵌合部２ａ，２ａを両外側から挟圧してドライブシャーシ２の振動を防止する防振手段、好ましくは双方の嵌合部２ａ，２ａを背後から当止する当止用突片１ｅ，１ｅの先端に、嵌合部２ａ，２ａを両外側から挟む凸リブ１ｆ，１ｆを設けて、凸リブ相互間隔Ｗ１を嵌合部２ａ，２ａの外側面間の寸法Ｗ２より小さくした防振手段を設ける。当止用突片１ｅ，１ｅがダンパーの役目を果たし、その弾性によってドライブシャーシ２の振動を吸収、緩和するため、記録又は再生性能が向上する。【選択図】図１
2007179622.tif 000002
【特許請求の範囲】
【請求項１】
光ピックアップとターンテーブルを搭載したドライブシャーシを、その後部両側端の嵌合部でメインシャーシに上下揺動可能に嵌合枢着した光ディスク記録又は再生装置において、ドライブシャーシの嵌合部が外れないように背後から双方の嵌合部を当止する左右一対の弾性を備えた当止用突片をメインシャーシの後壁内面から前方斜め交差方向に突設し、これら当止用突片の先端当止面の外側端にドライブシャーシの双方の嵌合部を左右両外側から挟む凸リブを形成すると共に、ドライブシャーシの双方の嵌合部を嵌合枢着する前の凸リブ相互間の間隔を双方の嵌合部の外側面間の寸法より小さくしたことを特徴とする光ディスク記録又は再生装置。
【請求項２】
光ピックアップとターンテーブルを搭載したドライブシャーシを、その後部両側端の嵌合部でメインシャーシに上下揺動可能に嵌合枢着したディスク記録又は再生装置において、ドライブシャーシの双方の嵌合部を左右両外側から挟圧してドライブシャーシの振動を防止する防振手段をメインシャーシに設けたことを特徴とする光ディスク記録又は再生装置。
【請求項３】
ドライブシャーシの後部両側端の嵌合部が外れないように背後から双方の嵌合部を当止する左右一対の弾性を備えた当止用突片をメインシャーシの後壁内面から突設すると共に、これら当止用突片の先端当止面の外側端にドライブシャーシの双方の嵌合部を左右両外側から挟む凸リブを形成し、ドライブシャーシの双方の嵌合部を嵌合枢着する前の凸リブ相互間の間隔を双方の嵌合部の外側面間の寸法より小さくすることによって、前記の防振手段を構成したことを特徴とする請求項２に記載の光ディスク記録又は再生装置。
【請求項４】
ドライブシャーシの後部両側端の嵌合部が外れないように背後から双方の嵌合部を当止する左右一対の弾性を備えた当止用突片をメインシャーシの後壁内面から突設すると共に、いずれか片方の当止用突片の先端当止面の外側端に、ドライブシャーシの片側の嵌合部を外側から押さえてメインシャーシの反対側の側壁内面との間で挟む凸リブを形成し、ドライブシャーシの双方の嵌合部を嵌合枢着する前の片方の当止用突片の凸リブとメインシャーシの反対側の側壁内面との間隔をドライブシャーシの双方の嵌合部の外側面間の寸法より小さくすることによって、前記の防振手段を構成したことを特徴とする請求項２に記載の光ディスク記録又は再生装置。
【発明の詳細な説明】
【技術分野】
【０００１】
本発明は光ディスク記録又は再生装置に関し、特に、偏重心光ディスクの記録又は再生性能を高めることができる光ディスク記録又は再生装置に関する。
【背景技術】
【０００２】
周知のように、光ディスク記録又は再生装置は、光ピックアップとターンテーブルを搭載したドライブシャーシをメインシャーシに上下揺動可能に枢着し、このドライブシャーシを上下に揺動させるスライド部材をメインシャーシに取付けると共に、このドライブシャーシの上方に光ディスクのローダーを配置して進退自在にメインシャーシに取付け、その上のクランパー保持部にクランパーを保持させた構造を有している。
【０００３】
このような光ディスク記録又は再生装置では、光ディスクをローダーに載せて送り込むと、ドライブシャーシがスライド部材によって上向きに回動し、ターンテーブルとクランパーにより光ディスクが保持されて回転すると共に、光ピックアップからレーザービームが光ディスクに照射されて記録又は再生が行われる。
【０００４】
しかしながら、従来の光ディスク記録又は再生装置は、メインシャーシに対するドライブシャーシの組込み作業を容易にするためにドライブシャーシの枢着部分の各所に隙間を設けている関係上、重心がディスク中心からずれている偏重心光ディスクをターンテーブルとクランパーで保持して回転させると、ドライブシャーシに振動が発生し、記録又は再生性能が低下するという問題があった。
【０００５】
かかる問題の解決を目的とした光ディスク記録又は再生装置として、ドライブシャーシの枢着部分の突軸に突起を設け、この突起をメインシャーシの軸受片の側面に当接させることによって、ドライブシャーシの横方向のガタツキや振動を防止しようとしたものが知られている（特許文献１）。
【特許文献１】特開２００３−１９６９５１号公報
【発明の開示】
【発明が解決しようとする課題】
【０００６】
しかしながら、上記特許文献１の光ディスク記録又は再生装置では、突起を軸受片の側面と密接するように突軸に設けると、メインシャーシに対するドライブシャーシの組込み作業がし辛くなるため、実際には突起と軸受片の側面との間に微小間隙をあける必要があり、そのためドライブシャーシのガタツキや振動を充分防止できないという問題が依然として残されていた。
【０００７】
本発明は、上記の事情の下になされたもので、偏重心光ディスクの回転に伴うドライブシャーシの振動を防止して記録又は再生性能を高めることができる光ディスク記録又は再生装置を提供することを解決課題としている。
【課題を解決するための手段】
【０００８】
上記課題を解決するため、本発明に係る光ディスク記録又は再生装置は、光ピックアップとターンテーブルを搭載したドライブシャーシを、その後部両側端の嵌合部でメインシャーシに上下揺動可能に嵌合枢着したディスク記録又は再生装置において、ドライブシャーシの双方の嵌合部を左右両外側から挟圧してドライブシャーシの振動を防止する防振手段をメインシャーシに設けたことを特徴とするものである。
【０００９】
本発明の光ディスク記録又は再生装置においては、請求項３に記載したように、ドライブシャーシの後部両側端の嵌合部が外れないように背後から双方の嵌合部を当止する左右一対の弾性を備えた当止用突片をメインシャーシの後壁内面から突設すると共に、これら当止用突片の先端当止面の外側端にドライブシャーシの双方の嵌合部を左右両外側から挟む凸リブを形成し、ドライブシャーシの双方の嵌合部を嵌合枢着する前の凸リブ相互間の間隔を双方の嵌合部の外側面間の寸法より小さくすることによって、前記の防振手段を構成することが好ましい。
【００１０】
また、請求項４に記載したように、ドライブシャーシの後部両側端の嵌合部が外れないように背後から双方の嵌合部を当止する左右一対の弾性を備えた当止用突片をメインシャーシの後壁内面から突設すると共に、いずれか片方の当止用突片の先端当止面の外側端に、ドライブシャーシの片側の嵌合部を外側から押さえてメインシャーシの反対側の側壁内面との間で挟む凸リブを形成し、ドライブシャーシの双方の嵌合部を嵌合枢着する前の片方の当止用突片の凸リブとメインシャーシの反対側の側壁内面との間隔をドライブシャーシの双方の嵌合部の外側面間の寸法より小さくすることによって、前記の防振手段を構成することも好ましい。
【００１１】
そして、本発明の一層具体化された好ましい光ディスク記録又は再生装置は、請求項１に記載したように、光ピックアップとターンテーブルを搭載したドライブシャーシを、その後部両側端の嵌合部でメインシャーシに上下揺動可能に嵌合枢着した光ディスク記録又は再生装置において、ドライブシャーシの嵌合部が外れないように背後から双方の嵌合部を当止する左右一対の弾性を備えた当止用突片をメインシャーシの後壁内面から前方斜め交差方向に突設し、これら当止用突片の先端当止面の外側端にドライブシャーシの双方の嵌合部を左右両外側から挟む凸リブを形成すると共に、ドライブシャーシの双方の嵌合部を嵌合枢着する前の凸リブ相互間の間隔を双方の嵌合部の外側面間の寸法より小さくしたことを特徴とするものである。
【発明の効果】
【００１２】
本発明の光ディスク記録又は再生装置によれば、嵌合枢着されたドライブシャーシの後部両側端の嵌合部が防振手段により左右両外側から挟圧されて隙間なく密接した状態で保持されるため、偏重心光ディスクをドライブシャーシのターンテーブルとクランパーとで挟持して回転させてもドライブシャーシに振動が発生し難くなり、光ピックアップからのレーザービームによる光ディスクへの記録又は再生性能が向上する。
【００１３】
特に、請求項３に記載の防振手段を採用した光ディスク記録又は再生装置は、ドライブシャーシの後部両側端の嵌合部を嵌合枢着すると、左右一対の当止用突片の凸リブの相互間隔がドライブシャーシの双方の嵌合部によって拡張され、両側へ押し広げられた当止用突片の弾性により凸リブがドライブシャーシの双方の嵌合部を両外側から挟圧して隙間なく保持する。そして、偏重心光ディスクを回転させたときには双方の当止用突片がダンパーの役目を果たし、回転に伴うドライブシャーシの振動が当止用突片の弾性によって吸収、緩和されるため、記録又は再生性能が向上する。
【００１４】
また、請求項４に記載の防振手段を採用した光ディスク記録又は再生装置は、ドライブシャーシの後部両側端の嵌合部を嵌合枢着すると、片方の当止用突片の凸リブとメインシャーシの反対側の側壁内面との間隔がドライブシャーシの双方の嵌合部によって拡張され、外側へ押し広げられた片方の当止用突片の弾性により凸リブと側壁内面との間でドライブシャーシの双方の嵌合部が挟圧されてメインシャーシに固定される。そのため、偏重心光ディスクを回転させても、それに伴うドライブシャーシの振動が抑止され、記録又は再生性能が向上する。
【００１５】
更に、最も具体化された請求項１の光ディスク記録又は再生装置は、前記の請求項３に記載の防振手段を採用した装置の作用効果に加えて、左右一対の当止用突片が前方斜め交差方向に突設されているため、ドライブシャーシの後部両側端の嵌合部を嵌合枢着して凸リブ相互間の間隔を拡張すると、双方の当止用突片が実質的に平行になってメインシャーシの後壁内面から前方へほぼ直角に突き出すことになり、ドライブシャーシの振動の吸収、緩和作用が一層向上するので、記録又は再生性能が顕著に高められる。
【発明を実施するための最良の形態】
【００１６】
以下、図面を参照して、本発明に係る光ディスク記録又は再生装置の具体的な実施形態を詳述する。
【００１７】
図１は本発明の一実施形態に係る光ディスク記録又は再生装置をローダーを省略して示した概略平面図、図２は同装置の要部分解平面図、図３はドライブシャーシの嵌合作業の途中の状態を示す同装置の要部平面図、図４は同装置の要部平面図、図５は図４のＡ−Ａ線部分断面図である。
【００１８】
この光ディスク記録又は再生装置は、熱可塑性合成樹脂製のメインシャーシ１の内側に、熱可塑性合成樹脂製又は金属製のドライブシャーシ２を、その後部両側端の嵌合部２ａ，２ａで上下揺動可能に嵌合枢着すると共に、このドライブシャーシ２の上方に光ディスクのローダー（不図示）を配置して進退自在にメインシャーシ１の内側に取付けたものであって、ドライブシャーシ２には光ピックアップ３とターンテーブル４が搭載され、光ピックアップ３はガイド軸３ａに沿ってターンテーブル４に対し接近、離反自在となっている。
【００１９】
このターンテーブル４の真上には光ディスクのクランパー５が配置され、このクランパー５は、ローダーを跨ぐようにメインシャーシ１に一体成形されたブリッジ６の中央のクランパー保持部６ａに回転自在に保持されている。また、ドライブシャーシ２の前端には凸部２ｂが形成され、この凸部２ｂは、メインシャーシ１に左右スライド可能に設けられたスライド部材７のカム溝に嵌め込まれている。従って、スライド部材７を左右にスライドさせると凸部２ｂがカム溝内を摺動し、ドライブシャーシ２が嵌合部２ａ，２ａを中心にして上下に揺動するようになっている。
【００２０】
ドライブシャーシ２は、その後部両側端の嵌合部２ａ，２ａでメインシャーシ１に対して揺動自在に嵌合枢着されており、この嵌合枢着部分は図５に示すような構造になっている。即ち、ドライブシャーシ２の嵌合部２ａには、図５に示すように下方に折曲された垂片２ｃと係合部２ｄが設けられ、この係合部２ｄは、メインシャーシ１の側壁内面１ａから内側へ突設された凸軸部１ｂに背後から回動自在に係合している。そして、この凸軸部１ｂによって下方から支持されたドライブシャーシ２の嵌合部２ａは、メインシャーシ１の側壁内面１ａから内側へ突設された押さえ片１ｃによって上方から押さえられ、また、この嵌合部２ａの垂片２ｃは、メインシャーシ１の後壁内面１ｄから突設された当止用突片１ｅによって背後から当止されている。このため、ドライブシャーシ２の嵌合部２ａは上下方向にも前後方向にも外れない状態で上下方向に揺動自在に嵌合枢着されている。また、このドライブシャーシ２の両側縁には、図３に示すように、ドライブシャーシ２の嵌合部２ａ，２ａをメインシャーシ１に嵌合枢着する際に、メインシャーシ１の押さえ片１ｃ，１ｃを通す切欠部２ｅ，２ｅが形成されている。
【００２１】
ドライブシャーシ２の双方の嵌合部２ａ，２ａを背後から当止する左右一対の当止用突片１ｅ，１ｅは、メインシャーシ１の後壁内面１ｄから一体に突設された合成樹脂製の弾性を備えた突片であって、その先端当止面の外側端には、図２〜４に示すようにドライブシャーシ２の双方の嵌合部２ａ，２ａを左右両外側から挟む凸リブ１ｆ，１ｆが形成されている。この当止用突片１ｅ，１ｅと凸リブ１ｆ，１ｆは防振手段を構成するものであって、図２に示すように、当止用突片１ｅ，１ｅは前方斜め交差方向（前方斜め内側方向）に突設されており、ドライブシャーシ２を嵌合枢着する前は、双方の凸リブ１ｆ，１ｆの相互間隔Ｗ１がドライブシャーシ２の双方の嵌合部２ａ，２ａの外側面間の寸法Ｗ２より小さく設定されている。
【００２２】
メインシャーシ１に対するドライブシャーシ２の組込み作業は、次の要領で行われる。まず、ドライブシャーシ２の前端に設けた前記凸部２ｂをメインシャーシ１のスライド部材７のカム溝に挿入して、図３に示すように、ドライブシャーシ２の両側縁の切欠部２ｅ，２ｅとメインシャーシ１の左右の押さえ片１ｃ，１ｃとの位置合わせを行い、双方の当止用突片１ｅ，１ｅを両外側へ押し広げながらドライブシャーシ２の双方の嵌合部２ａ，２ａを上方からメインシャーシ１の凸軸部１ｂ，１ｂに当たるまでメインシャーシ１の内側に嵌め込む。そして、ドライブシャーシ２を前方にスライドさせて、図４，図５に示すように、ドライブシャーシ２の嵌合部２ａ，２ａを上方から押さえ片１ｃ，１ｃで押さえたまま、その係合部２ｄ，２ｄをメインシャーシ１の凸軸部１ｂ，１ｂに背後から係合させると同時に、垂片２ｃ，２ｃを当止用突片１ｅ，１ｅで当止させ、ドライブシャーシ２の双方の嵌合部２ａ，２ａを外れないように上下揺動可能に嵌合枢着してメインシャーシ１に組み込む。
【００２３】
このようにドライブシャーシ２をメインシャーシ１の内側に組み込むと、図４に示すように、双方の当止用突片１ｅ，１ｅの凸リブ１ｆ，１ｆの相互間隔がドライブシャーシ２の双方の嵌合部２ａ，２ａによってＷ１からＷ２に拡張され、その分だけ当止用突片１ｅ，１ｅが押し広げられて実質的に平行な状態で前方に真っ直ぐに突き出す姿勢となり、この押し広げられた当止用突片１ｅ，１ｅの弾性（弾性復元力）によって凸リブ１ｆ，１ｆがドライブシャーシ２の双方の嵌合部２ａ，２ａを両外側から挟圧して隙間なく保持することになる。
【００２４】
上記のようにドライブシャーシ２の双方の嵌合部２ａ，２ａを当止用突片１ｅ，１ｅの凸リブ１ｆ，１ｆによって挟圧、保持した光ディスク記録又は再生装置は、ローダーで送り込まれた偏重心光ディスクをターンテーブル４とクランパー５で保持して回転させながら光ピックアップ３からレーザービームを照射して記録又は再生をする場合でも、当止用突片１ｅ，１ｅがダンパーの役目を果たし、偏重心光ディスクの回転に伴うドライブシャーシ２の振動が当止用突片１ｅ，１ｅの弾性によって吸収、緩和されるため、記録又は再生性能が向上する。特に、双方の当止用突片１ｅ，１ｅが実質的に平行になってメインシャーシ１の後壁内面１ｄから前方へ直角に突き出していると、ドライブシャーシの振動の吸収、緩和作用が一層向上するので、記録又は再生性能が顕著に高められる。また、このような防振手段を採用した光ディスク記録又は再生装置は、従来の光ディスク記録又は再生装置にも存在する当止用突片を、その突き出し方向を少し変えて凸リブを設けるだけでよいから、金型の変更が極く僅かで安価に実施でき、組立作業に支障が出る心配もない。
【００２５】
図６は本発明の他の実施形態に係る光ディスク記録又は再生装置の要部分解平面図、図７は同装置の要部平面図である。
【００２６】
この光ディスク記録又は再生装置は、左右の当止用突片１ｅ，１ｅのうちの片方（図６，図７では左の当止用突片）をメインシャーシ１の後壁内面１ｄから前方斜め内側方向に突設すると共に、この片方の当止用突片１ｅの先端当止面の外側端に、ドライブシャーシ２の片側の嵌合部２ａ（図６，図７では左側の嵌合部）を外側から押さえてメインシャーシ１の反対側の側壁内面１ａ（図６，図７で右側の側壁内面）との間でドライブシャーシ２の双方の嵌合部２ａ，２ａを挟む凸リブ１ｆを形成し、ドライブシャーシ２の双方の嵌合部２ａ，２ａを嵌合枢着する前の片方の当止用突片１ｅの凸リブ１ｆとメインシャーシ１の反対側の側壁内面１ａとの間隔Ｗ３をドライブシャーシ２の双方の嵌合部２ａ，２ａの外側面間の寸法Ｗ２より小さくして、防振手段を構成したものである。他方の当止用突片１ｅは、メインシャーシ１の後壁内面から前方に真っ直ぐに突設され、その先端当止面に凸リブは形成されていない。
【００２７】
この光ディスク記録又は再生装置の他の構成は、前述した光ディスク記録又は再生装置のそれと同様であるから、図６，図７において同一部分に同一符号を付すに止め、重複説明を省略する。
【００２８】
上記のような防振手段を採用した光ディスク記録又は再生装置は、ドライブシャーシ２の双方の嵌合部２ａ，２ａを嵌合枢着してメインシャーシ１の内側に組み込むと、片方の当止用突片１ｅ（左の当止用突片）の凸リブ１ｆとメインシャーシ１の反対側の側壁内面１ａとの間隔がドライブシャーシ２の双方の嵌合部２ａ，２ａによってＷ３からＷ２に拡張され、外側へ押し広げられた片方の当止用突片１ｅの弾性（弾性復元力）によって、上記凸リブ１ｆと側壁内面１ａとの間でドライブシャーシ２の双方の嵌合部２ａ，２ａが両外側から挟圧されてメインシャーシ１に固定される。そのため、偏重心光ディスクを回転させても、それに伴うドライブシャーシ２の振動が抑止されるので記録又は再生性能が向上する。
【００２９】
上記の光ディスク記録又は再生装置では、片方の当止用突片１ｅ（左の当止用突片）に凸リブ１ｆを設けているが、これとは逆に、他方の当止用突片１ｅ（右の当止用突片）に凸リブ１ｆを設けて、この凸リブ１ｆとメインシャーシ１の反対側の側壁内面との間でドライブシャーシ２の双方の嵌合部２ａ，２ａを挟圧、固定し、偏重心光ディスクの回転に伴うドライブシャーシ２の振動を抑止して記録又は再生性能を向上させるようにしても勿論よい。
【図面の簡単な説明】
【００３０】
【図１】本発明の一実施形態に係る光ディスク記録又は再生装置をローダーを省略して示した概略平面図である。
【図２】同装置の要部分解平面図である。
【図３】ドライブシャーシの嵌合作業の途中の状態を示す同装置の要部平面図である。
【図４】同装置の要部平面図である。
【図５】図４のＡ−Ａ線部分断面図である。
【図６】本発明の他の実施形態に係る光ディスク記録又は再生装置の要部分解平面図である。
【図７】同装置の要部平面図である。
【符号の説明】
【００３１】
１    メインシャーシ
１ａ  側壁内面
１ｂ  凸軸部
１ｃ  押さえ片
１ｄ  後壁内面
１ｅ  当止用突片
１ｆ  凸リブ
２    ドライブシャーシ
２ａ  嵌合部
２ｃ  垂片
２ｄ  係合部
２ｅ  切欠部
３    光ピックアップ
４    ターンテーブル
５    クランパー
６ａ  クランパー保持部
７    スライド部材
【図１】
2007179622.tif 000003
【図２】
2007179622.tif 000004
【図３】
2007179622.tif 000005
【図４】
2007179622.tif 000006
【図５】
2007179622.tif 000007
【図６】
2007179622.tif 000008
【図７】
2007179622.tif 000009